(57)【要約】【課題】できるだけ自然な可聴化の結果を得るためのインパルス応答を、計算負荷を抑えつつ生成すること【解決手段】本発明の一実施形態に係るインパルス応答合成方法は、所定環境における周波数帯域毎の残響時間を指定する指定情報を取得し、予め測定されたインパルス応答を周波数帯域毎に分割した情報を示す分割データと残響時間を示す情報とが対応付けられて登録されたデータベースから、前記指定情報に関連する前記分割データを取得し、前記取得した分割データを合成して、合成インパルス応答を生成することを含む。【選択図】図６
2017138380.tif 000002
【特許請求の範囲】
【請求項１】
所定環境における周波数帯域毎の残響時間を指定する指定情報を取得し、
予め測定されたインパルス応答を周波数帯域毎に分割した情報を示す分割データと残響時間を示す情報とが対応付けられて登録されたデータベースから、前記指定情報に関連する前記分割データを取得し、
前記取得した分割データを合成して、合成インパルス応答を生成する
ことを含むインパルス応答合成方法。
【請求項２】
音データを取得し、
取得した音データに前記合成インパルス応答を畳み込むことによって合成音データを取得することをさらに含む請求項１に記載のインパルス応答合成方法。
【請求項３】
前記指定情報を取得することは、前記周波数帯域毎の残響時間を指定するためのインターフェイスを提供することを含む請求項１に記載のインパルス応答合成方法。
【請求項４】
前記データベースに登録された周波数帯域毎の前記分割データと前記残響時間を示す情報は、
予め測定されたインパルス応答を取得し、前記取得したインパルス応答を周波数帯域毎に分割することによって分割データを取得し、前記分割データに基づいて、周波数帯域毎の残響時間を算出することによって得られた情報であることを特徴とする請求項１乃至請求項３のいずれかに記載のインパルス応答合成方法。
【請求項５】
前記データベースには、前記測定されたインパルス応答の測定環境に応じた環境情報が対応付けられて登録されていることを特徴とする請求項１乃至請求項４のいずれかに記載のインパルス応答合成方法。
【請求項６】
前記データベースは、前記分割データの信号レベルを正規化した情報が対応付けられて登録されていることを特徴とする請求項１乃至請求項４のいずれかに記載のインパルス応答合成方法。
【請求項７】
請求項１乃至請求項６のいずれかに記載のインパルス応答合成方法をコンピュータに実行させるためのプログラム。
【発明の詳細な説明】
【技術分野】
【０００１】
本発明は、インパルス応答を生成するための技術に関する。
【背景技術】
【０００２】
所定の音響特性を有する部屋を設計するための重要なパラメータの一つとして、周波数帯域毎の残響時間（Reverberation Time）がある。残響時間の予測を用いた部屋の特性の可聴化技術が、例えば、特許文献１、２に開示されている。
【先行技術文献】
【特許文献】
【０００３】
【特許文献１】特開２００３−１５７０９０号公報
【特許文献２】特開２００５−８０１２４号公報
【発明の概要】
【発明が解決しようとする課題】
【０００４】
特許文献１に開示された技術では、インパルス応答をゼロから合成するため、可聴化した結果が不自然なものとなる。また、特許文献２に開示された技術では、幾何音響シミュレーションによってインパルス応答を生成するため、計算のための負荷が高くなる。
【０００５】
本発明の目的の一つは、できるだけ自然な可聴化の結果を得るためのインパルス応答を、計算負荷を抑えつつ生成することにある。
【課題を解決するための手段】
【０００６】
本発明の一実施形態によると、周波数帯域毎の残響時間を指定する指定情報を取得し、予め測定されたインパルス応答を周波数帯域毎に分割した情報を示す分割データと残響時間を示す情報とが対応付けられて登録されたデータベースから、前記指定情報に関連する前記分割データを取得し、前記取得した分割データを合成して、合成インパルス応答を生成することを含むインパルス応答合成方法が提供される。
【０００７】
音データを取得し、取得した音データに前記合成インパルス応答を畳み込むことによって合成音データを取得することをさらに含んでもよい。
【０００８】
前記指定情報を取得することは、前記周波数帯域毎の残響時間を指定するためのインターフェイスを提供することを含んでもよい。
【０００９】
前記データベースに登録された周波数帯域毎の前記分割データと前記残響時間を示す情報は、予め測定されたインパルス応答を取得し、前記取得したインパルス応答を周波数帯域毎に分割することによって分割データを取得し、前記分割データに基づいて、周波数帯域毎の残響時間を算出することによって得られた情報であってもよい。
【００１０】
前記データベースには、前記測定されたインパルス応答の測定環境に応じた環境情報が対応付けられて登録されていてもよい。
【００１１】
前記データベースには、前記分割データの信号レベルを正規化した情報が対応付けられて登録されていてもよい。
【００１２】
本発明の一実施形態によると、上記のインパルス応答合成方法をコンピュータに実行させるためのプログラムが提供される。
【発明の効果】
【００１３】
本発明によれば、できるだけ自然な可聴化の結果を得るためのインパルス応答を、計算負荷を抑えつつ生成することができる。これにより、より手軽な音環境の聴感的な予測、設計、提案等が可能になる。
【図面の簡単な説明】
【００１４】
【図１】本発明の一実施形態における合成システムの構成を示すブロック図である。
【図２】本発明の一実施形態における収集装置の構成を示すブロック図である。
【図３】本発明の一実施形態における合成装置の構成を示すブロック図である。
【図４】本発明の一実施形態におけるデータベースに登録された情報を説明する図である。
【図５】本発明の一実施形態におけるＩＲ収集処理を示すフローチャートである。
【図６】本発明の一実施形態におけるＩＲ合成処理を示すフローチャートである。
【図７】本発明の一実施形態におけるＩＲ合成用インターフェイスを示す図である。
【図８】本発明の一実施形態における周波数帯域ごとのＩＲ取得処理を示すフローチャートである。
【図９】本発明の一実施形態における演算処理を示すフローチャートである。
【発明を実施するための形態】
【００１５】
以下、本発明の一実施形態における合成システムについて、図面を参照しながら詳細に説明する。以下に示す実施形態は本発明の実施形態の一例であって、本発明はこれらの実施形態に限定して解釈されるものではない。なお、本実施形態で参照する図面において、同一部分または同様な機能を有する部分には同一の符号または類似の符号（数字の後にＡ、Ｂ等を付しただけの符号）を付し、その繰り返しの説明は省略する場合がある。
【００１６】
＜実施形態＞
［概要］
一実施形態にかかる合成システムは、インパルス応答（以下、単にＩＲという場合がある。）のデータを収集して、このデータに関連する情報をデータベースに登録し、データベースに登録された情報に基づいてインパルス応答を合成することができる。この合成システムによれば、各周波数帯域における所望の残響時間を有するインパルス応答を合成することによって、様々な残響時間の特性を有する部屋における音を可聴化することができる。合成されるインパルス応答は、実測したインパルス応答のデータを用いることで、より自然な可聴化を実現することもできる。このような合成システムについて、以下に詳述する。
【００１７】
［合成システムの構成］
図１は、本発明の一実施形態における合成システムの構成を示すブロック図である。合成システム１０００は、収集装置１０、合成装置３０およびデータベース８０を備える。これらの各構成は、インターネット等のネットワークＮＷを介して接続されている。収集装置１０および合成装置３０は、例えば、スマートフォン、パーソナルコンピュータ等の通信可能な装置であり、プログラムを実行することによって所定の機能を実現することができるコンピュータである。収集装置１０には、測定器２０が接続される。測定器２０は、収集装置１０の一部の構成として、一体の装置で構成されてもよい。合成装置３０には、出力装置４０が接続される。出力装置４０は、合成装置３０の一部の構成として、一体の装置であってもよい。なお、収集装置１０と合成装置３０とが一体の装置であってもよい。これらの各構成について、以下、順に説明する。
【００１８】
［収集装置の構成］
図２は、本発明の一実施形態における収集装置の構成を示すブロック図である。収集装置１０は、制御部１１、記憶部１２、操作部１３、表示部１４、通信部１５およびインターフェイス１７を備える。これらの各構成はバスを介して接続されている。
【００１９】
制御部１１は、ＣＰＵなどの演算処理回路を含む。制御部１１は、記憶部１２に記憶されたプログラムをＣＰＵ（コンピュータ）により実行して、後述するＩＲ収集処理を行うための機能を実現する。この機能を実現するモジュールの一部または全部は、プログラムの実行によってソフトウエア上で実現される場合に限られず、ハードウエア上で実現されてもよい。
【００２０】
記憶部１２は、不揮発性メモリ、ハードディスク等の記憶装置である。記憶部１２は、上述したプログラムなど、様々な機能を実現するためのアプリケーションプログラムを記憶する。このプログラムは、コンピュータにより実行可能であればよく、磁気記録媒体、光記録媒体、光磁気記録媒体、半導体メモリなどのコンピュータ読み取り可能な記録媒体に記憶した状態で提供されてもよい。この場合には、収集装置１０は、記録媒体を読み取る装置を備えていてもよい。また、プログラムは、ネットワーク経由でダウンロードされてもよい。
【００２１】
操作部１３は、操作ボタン、キーボード、マウスなどの装置であり、ユーザによって入力された操作に応じた信号を制御部１１に出力する。表示部１４は、液晶ディスプレイ、有機ＥＬディスプレイ等の表示装置であり、制御部１１による制御に基づいた画面を表示する。なお、操作部１３と表示部１４とは一体としてタッチパネルを構成してもよい。通信部１５は、制御部１１の制御に基づいてネットワークに接続された外部の装置と通信をし、情報の送受信を行う。
【００２２】
インターフェイス１７は、外部装置と接続して情報の送受信を行うためのインターフェイスである。インターフェイス１７と外部装置との接続は有線であっても無線であってもよい。この例では、インターフェイス１７には、測定器２０が接続される。
【００２３】
測定器２０は、信号処理部２１、マイクロフォン２３およびスピーカ２５を備える。信号処理部２１は、Ａ／Ｄコンバータ、Ｄ／Ａコンバータ等を含む。この例では、測定器２０は、収集装置１０からの指示によりスピーカ２５からインパルス信号を出力し、マイクロフォン２３に入力されたインパルス応答を収集装置１０へ出力する。
【００２４】
［合成装置］
図３は、本発明の一実施形態における合成装置の構成を示すブロック図である。合成装置３０は、制御部３１、記憶部３２、操作部３３、表示部３４、通信部３５およびインターフェイス３７を備える。これらの各構成はバスを介して接続されている。
【００２５】
制御部３１は、ＣＰＵなどの演算処理回路を含む。制御部３１は、記憶部３２に記憶されたプログラムをＣＰＵ（コンピュータ）により実行して、後述するＩＲ合成処理を行うための機能を実現する。この機能を実現するモジュールの一部または全部は、プログラムの実行によってソフトウエアによって実現される場合に限られず、ハードウエアによって実現されてもよい。
【００２６】
記憶部３２、操作部３３、表示部３４、通信部３５およびインターフェイス３７は、上述した収集装置における記憶部１２、操作部１３、表示部１４、通信部１５およびインターフェイス１７と同様の構成を有している。したがって、これらの構成についての詳細の説明は、省略する。なお、インターフェイス３７には、出力装置４０が接続される。
【００２７】
出力装置４０は、スピーカ、ヘッドフォンなど、入力された電気信号を音に変換する装置である。ここでは、電気信号は、合成装置３０から入力される。
【００２８】
［データベースの内容］
図４は、本発明の一実施形態におけるデータベースに登録された情報を説明する図である。データベース８０には、インパルス応答を周波数帯域毎に分割した分割データ（「ＡＡＡ」、「ＢＢＢ」、・・・等）が登録される。この例では、分割データは、信号レベルが正規化されている。分割データには、その周波数帯域を示す情報（「Ｆ１」、「Ｆ２」、・・・等）、残響時間を示す情報（「ＲＴ１１」、「ＲＴ１２」、・・・等）、室容積（以下、単に「容積」という場合がある）を示す情報（「Ｖ１」、「Ｖ２」、・・・等）、部屋の総表面積（以下、単に「面積」という場合がある）を示す情報（「Ｓ１」、「Ｓ２」、・・・等）の情報が対応付けられている。なお、分割データに対応付けられる情報は、分割データを指定するデータファイル名などによって規定されてもよい。
【００２９】
周波数帯域は、この例では、Ｆ１からＦ８までの８つの帯域である。この例では、Ｆ１〜Ｆ８の帯域は、６３Ｈｚ（６２．５Ｈｚ）、１２５Ｈｚ、２５０Ｈｚ、５００Ｈｚ、１ｋＨｚ、２ｋＨｚ、４ｋＨｚ、８ｋＨｚの周波数を含むように決められている。そのため、分割データは、インパルス応答を１／１オクターブバンドのフィルタバンクに通して得られるデータである。
【００３０】
残響時間は、分割データの信号波形に基づいて算出された値であり、ＲＴ６０と表現されることもあるパラメータである。容積および面積は、分割データの元となるインパルス応答を測定した部屋のパラメータを示し、予め指定された値が分割データに対応付けられる。そのため、容積および面積のパラメータは、分割データに対応付けられていない場合もある。
【００３１】
［インパルス応答（ＩＲ）収集処理］
続いて、収集装置１０において実行されるＩＲ収集方法に含まれる処理（制御部１１によるＩＲ収集処理）について、図５を用いて説明する。ＩＲ収集処理は、インパルス応答（ＩＲ）を取得して、これに関連する情報をデータベース８０に登録するための処理である。
【００３２】
図５は、本発明の一実施形態におけるＩＲ収集処理を示すフローチャートである。ＩＲ収集処理が開始されると、まず、制御部１１は、インパルス応答を取得する（ステップＳ１０１）。このインパルス応答は、測定器２０によって予め測定された情報である。制御部１１は、取得したインパルス応答を所定のフォーマットに変換するデータ処理を実行する（ステップＳ１０３）。
【００３３】
このデータ処理（ステップＳ１０３）は、取得したインパルス応答のデータを解析して、データの時間軸方向の位置および時間長を補正する。例えば、インパルス応答のピーク位置の時刻を時間軸方向の基準位置として平行移動し、インパルス応答の信号レベルが得られた時刻（データの最初の時刻）から所定時間（例えば、３秒）までの時間長のデータになるように、インパルス応答のデータが補正される。なお、サンプリング周波数を所定の周波数（例えば、４８ｋＨｚ）に合わせるように、リサンプリングが行われてもよい。
【００３４】
上記のデータ処理が終了すると、制御部１１は、インパルス応答を周波数帯域毎に分割した分割データを取得する（ステップＳ１０５）。この例では、上述したように、１／１オクターブバンドのフィルタバンクを用いて８つの周波数帯域に分割される。このように複数の周波数帯域に分割する処理は、ソフトウエア上で実現されてもよいし、ＤＳＰ（Digital Signal Processor）などのハードウエア上で実現されてもよい。したがって、１つのインパルス応答から、８つの分割データが得られる。
【００３５】
制御部１１は、各分割データが示す信号に基づいて、周波数帯域毎の残響時間を算出する（ステップＳ１０７）。制御部１１は、各分割データが示す信号（周波数帯域毎のインパルス応答）のレベルを、それぞれ最大振幅で正規化する（ステップＳ１０９）。
【００３６】
制御部１１は、環境情報の入力の有無について判定する（ステップＳ１１１）。環境情報は、インパルス応答の測定時の環境を示す情報であり、この例では、上記の容積（室容積）及び面積（部屋の総表面積）を含む。この環境情報は、例えば、操作部１３を介してユーザによって事前に入力される。なお、表示部１４に環境情報を入力するためのインターフェイスが表示されるようになっていてもよい。
【００３７】
環境情報の入力があった場合（ステップＳ１１１；Ｙｅｓ）には、制御部１１は、信号レベルを正規化した分割データ、算出した残響時間、および入力された環境情報を含む登録情報を周波数帯域毎に生成して出力する（ステップＳ１１３）。一方、環境情報の入力がなかった場合（ステップＳ１１１；Ｎｏ）には、制御部１１は、信号レベルを正規化した分割データ、および算出した残響時間を含む登録情報を周波数帯域毎に生成して出力する（ステップＳ１１５）。周波数帯域毎の登録情報は、データベース８０に送信されて、図４に示すような情報としてデータベース８０に登録される。分割データは、例えばＷＡＶＥフォーマットのデータファイルとして登録される。これによって、ＩＲ収集処理が終了する。
【００３８】
［インパルス応答（ＩＲ）合成処理］
続いて、合成装置３０において実行されるＩＲ合成方法に含まれる処理（制御部３１によるＩＲ合成処理）について、図６を用いて説明する。ＩＲ合成処理は、分割データを取得して合成し、合成インパルス応答を生成するための処理である。
【００３９】
図６は、本発明の一実施形態におけるＩＲ合成処理を示すフローチャートである。まず、制御部３１は、指定情報を取得する（ステップＳ３０１）。指定情報は、周波数帯域毎の残響時間を指定する情報を含む。この例では、周波数帯域毎の残響時間は、表示部１４に表示されるＩＲ合成用インターフェイス（入力画面ＤＡ）によって、ユーザが入力できるようになっている。ここで入力される残響時間は、例えば、ユーザが可聴化したいと想定する所定環境（部屋）に対応したパラメータである。
【００４０】
図７は、本発明の一実施形態におけるＩＲ合成用インターフェイスを示す図である。ＩＲ合成用インターフェイスは、入力画面ＤＡとして表示される。入力画面ＤＡには、領域ＩＡ、ＲＡ、およびアイコンＢ１、Ｂ２が表示されている。
【００４１】
領域ＩＡは、周波数帯域毎に残響時間を指定するための領域であり、この例では、さらに部屋の容積（室容積）も指定するための領域も含む。部屋の面積（部屋の総表面積）を指定するための領域を含んでいてもよい。アイコンＢ１は、領域ＩＡに入力した内容に基づいて、インパルス応答を合成する計算を開始する指示を入力するためのアイコン（操作ボタン画像）である。アイコンＢ２は、合成したインパルス応答を用いた再生を開始する指示を入力するためのアイコン（操作ボタン画像）である。
【００４２】
領域ＩＡへのパラメータの入力後、アイコンＢ１を操作すると、インパルス応答を合成する計算を開始する。このアイコンＢ１の操作が受け付けられることにより、上述したように制御部３１によって指定情報が取得される（ステップＳ３０１）。そして、図６に示すように、制御部３１は、取得した指定情報に基づいて、データベース８０から周波数帯域毎のインパルス応答（分割データ）を取得する（ステップＳ３０３）。指定情報に関連する分割データを取得するステップＳ３０３の処理について、図８を用いて具体例を示す。
【００４３】
図８は、本発明の一実施形態における周波数帯域ごとのＩＲ取得処理を示すフローチャートである。このフローチャートは、特定の周波数帯域の分割データをデータベース８０から検索して取得する方法を示している。したがって、図８に示す処理は、各周波数帯域の分割データのそれぞれを取得するときに実行される。
【００４４】
まず、制御部３１は、指定情報によって指定された残響時間（ＲＴ）の条件を満たす分割データがあるかどうか判定する（ステップＳ３３１）。条件を満たす分割データとは、例えば、指定された残響時間に対して±０．０５秒の範囲の残響時間が対応付けられている分割データを示す。図７に示す例において、１ｋＨｚは残響時間が０．５秒として指定されているため、１ｋＨｚを含む周波数帯域の分割データについては、０．４５秒以上０．５５秒以下の残響時間が対応付けられていれば、条件を満たすことになる。なお、条件は相対的な範囲（例えば、±１０％など）で決められていてもよい。
【００４５】
条件を満たす分割データがない場合（ステップＳ３３１；Ｎｏ）には、制御部３１は、指定情報によって指定された残響時間に最も近い分割データを取得する（ステップＳ３３９）。一方、条件を満たす分割データがある場合（ステップＳ３３１；Ｙｅｓ）には、制御部３１は、条件を満たす分割データが１つであるか複数であるかを判定する（ステップＳ３３３）。
【００４６】
条件を満たす分割データが１つである場合（ステップＳ３３３；Ｙｅｓ）には、制御部３１は、その分割データを取得する（ステップＳ３３５）。一方、条件を満たす分割データが複数である場合（ステップＳ３３３；Ｎｏ）には、制御部３１は、条件を満たす分割データのうち、指定情報によって指定された容積の値に最も近い容積の値が対応付けられている分割データを取得する（ステップＳ３３７）。なお、指定情報によって容積が指定されていない場合、または、最も近い容積の値が所定値以上離れている場合などにおいては、容積の値とは関係なく、指定情報によって指定された残響時間に最も近い残響時間が対応付けられた分割データを取得するようにしてもよい。
【００４７】
このようにして取得された分割データに対応する残響時間（周波数帯域毎の残響時間）が、図７に示す領域ＲＡの表示に反映される。この表示によって、ユーザが指定した残響時間と、実際に得られる残響時間との関係が同じであるか、または異なる残響時間が設定された周波数帯域が存在するかを確認することができる。
【００４８】
図６に戻って説明を続ける。周波数帯域毎の分割データを取得する（ステップＳ３０３）と、制御部３１は、これらの分割データを合成して、インパルス応答（合成インパルス応答）を生成する（ステップＳ３０５）。この合成インパルス応答は、例えば、記憶部３２に記憶される。これによって、ＩＲ合成処理が終了する。
【００４９】
合成システム１０００においては、それぞれの装置（収集装置１０、合成装置３０）において、上述したＩＲ収集処理とＩＲ合成処理とが実行される。したがって、システム全体としては、ＩＲ収集処理とＩＲ合成処理とを含むインパルス応答生成方法が実行されることになる。なお、上述した通り、収集装置１０と合成装置３０とが一体の装置である場合には、同一装置において、ＩＲ収集処理とＩＲ合成処理とのいずれも実行することが可能である。
【００５０】
［インパルス応答の畳み込み］
図７に示す領域ＲＡの表示後、アイコンＢ２を操作すると、予め決められた音データが再生され、再生音に合成インパルス応答を畳み込む演算処理が施されて出力装置４０から音信号として出力される。この音信号は、図７に示すインターフェイスなどによって指定された周波数帯域毎の残響時間を有する部屋において再生音を発音させた場合の状態を可聴化したものである。このような演算処理は、図９に示すように制御部３１によって実行される。
【００５１】
図９は、本発明の一実施形態における演算処理を示すフローチャートである。上述のように、図７に示すアイコンＢ２が操作されると、制御部３１は、予め決められた音データを記憶部３２等から取得する（ステップＳ４０１）。制御部３１は、ステップＳ３０５によって生成された合成インパルス応答を音データに畳み込んで、合成音データを生成する（ステップＳ４０３）。畳み込み処理は、ソフトウエアで実現されてもよいし、ハードウエアで実現されてもよい。制御部３１は、合成音データを出力する（ステップＳ４０５）。合成音データは、例えば出力装置４０に出力されて、音に変換されて出力されてもよいし、記憶部３２に出力されて記憶されてもよい。
【００５２】
合成音データは、上述のように、合成インパルス応答を畳み込むことによって得られている。この合成インパルス応答は、測定したインパルス応答を周波数帯域毎に分割した分割データを、周波数帯域毎の所望の残響時間に応じて合成して得られた信号である。したがって、この合成インパルス応答を用いると、自然な可聴化の結果を得ることができる。また、合成インパルス応答は、測定したインパルス応答を周波数帯域毎に分割したものを用い、組み合わせを変えて再合成した方法を採用しているため、計算負荷も小さくすることができる。
【００５３】
＜変形例＞
以上、本発明の一実施形態について説明したが、本発明は以下のように、様々な態様で実施可能である。
【００５４】
（１）図７に示す領域ＩＡの残響時間は、ユーザによって入力されていたが、部屋の寸法、内装などの予め設計された情報に基づいて計算して得られる情報が、ＧＵＩなどによる部屋の選択によって、自動的に入力されるようにしてもよい。例えば、部屋の寸法と、あらかじめ吸音率を設定された内装材の選択・配置することによって、室内の平均吸音率から残響時間を自動計算してもよい。
【００５５】
（２）合成インパルス応答は、一部の周波数帯域の分割データを合成するとともに、他の周波数帯域については音響シミュレーション（波動音響解析）に基づいて生成されたデータを合成してもよい。本発明で提案する手法では、計算負荷が小さい一方で、低周波数帯域において実際の部屋の特性の厳密な可聴化が難しい。波動音響解析では、より厳密な特性がシミュレートできる一方、高周波数帯域における計算負荷が膨大になる。相対的に高域の周波数帯域については分割データを合成に用い、相対的に低域の周波数帯域については、音響シミュレーションに基づいて生成されたデータを合成に用いることで、計算負荷を抑えながら可聴化の精度を向上させることができる。
【００５６】
（３）出力装置４０は、合成装置３０によって生成された合成インパルス応答を記憶して、音データに対して畳み込みをする機能を有していてもよい。このとき音データについては、予め記憶されている音データであってもよいし、マイクロフォン等によってリアルタイムに入力された音データであってもよい。例えば、出力装置４０がヘッドフォンであり、さらにマイクロフォンによって音データが入力される場合には、ユーザがそのヘッドフォンを装着することによって、所定の音響特性を有する部屋（指定情報によって指定された残響時間を有する部屋）にいる感覚を擬似的に得ることができる。このとき、複数種類の合成インパルス応答を記憶しておけば、畳み込む合成インパルス応答を切り替えることで、様々な部屋を切り替えることもできる。
【００５７】
（４）ＩＲ収集処理は収集装置１０において実行され、ＩＲ合成処理は合成装置３０において実行されていたが、サーバ等において実行されてもよい。この場合には、ユーザの端末等においてインターフェイスが提供され、インターフェイスを用いて入力された情報（残響時間等のパラメータ）がサーバに送信されて、実際の処理はサーバにおいて実行されることになる。処理の結果として得られたデータ（可聴化の結果）は、ユーザの端末において可聴化の結果としての音を確認することができる。
【符号の説明】
【００５８】
１０…収集装置、１１…制御部、１２…記憶部、１３…操作部、１４…表示部、１５…通信部、１７…インターフェイス、２０…測定器、２１…信号処理部、２３…マイクロフォン、２５…スピーカ、３０…合成装置、３１…制御部、３２…記憶部、３３…操作部、３４…表示部、３５…通信部、３７…インターフェイス、４０…出力装置、８０…データベース
【図１】
2017138380.tif 000003
【図２】
2017138380.tif 000004
【図３】
2017138380.tif 000005
【図４】
2017138380.tif 000006
【図５】
2017138380.tif 000007
【図６】
2017138380.tif 000008
【図７】
2017138380.tif 000009
【図８】
2017138380.tif 000010
【図９】
2017138380.tif 000011